(57)【要約】【課題】ライティングボードに２色以上の多彩な罫線をきれいに引くことができ、商品価値を向上させるライティングボードの多色罫引方法を提供する。【解決手段】基板１上に互いに色彩が異なる少なくとも３層のホウロウ質層を形成することにより下地層３と中間層４と表層５とからなるライティングボード２０を形成し、該ライティングボードの表面に局所的にレーザー光線を照射しつつその照射スポットを移動させるとともに、該レーザー光線によって溶融するホウロウ質層の深度を適宜設定することにより、中間層４および下地層３の色彩を表面に露呈させる。【選択図】図６
2013086503.tif 000002
【特許請求の範囲】
【請求項１】
基板上に互いに色彩が異なる少なくとも３層のホウロウ質層を形成することにより下地層と中間層と表層とからなるライティングボードを形成し、該ライティングボードの表面に局所的にレーザー光線を照射しつつその照射スポットを移動させるとともに、該レーザー光線によって溶融するホウロウ質層の深度を適宜設定することにより、中間層および下地層の色彩を表面に露呈させることを特徴としたライティングボードの多色罫引方法。
【請求項２】
ライティングボード表面におけるレーザー光線の照射スポットの移動速度を制御することにより、ホウロウ質層の溶融の深度が適宜設定されるようにしたことを特徴とする請求項１に記載したライティングボードの多色罫引方法。
【請求項３】
レーザー光線の出力を制御することにより、ホウロウ質層の溶融の深度が適宜設定されるようにしたことを特徴とする請求項１または２に記載したライティングボードの多色罫引方法。
【発明の詳細な説明】
【技術分野】
【０００１】
本発明は、チョーク，マーカー等の筆記具により自由に書いたり消したりすることのできる黒板，ホワイトボード，マーカーボード等のライティングボードに２色以上の罫線を表示する方法に関するものである。
【背景技術】
【０００２】
ライティングボードにレーザー光線を当てて下地層と表層を加熱溶融し、下地層の色彩を表面に抽出させることにより、所要の罫線を引くライティングボードの罫引方法は、本出願人の特許に係る下記特許文献１により開示されおり、その罫引方法によれば、手書きのように特別な技能を要することなく、きれいな罫線を高能率で引くことができるとともに、引かれた罫線は下地層の色彩に基因するものであるので消えることなく、退色のおそれも少なく、高品質であるなど、種々の利点がある。
このため、本出願人はこの罫引方法によって製造した黒板，ホワイトボード等を商品化し、今日に至っている。
【先行技術文献】
【特許文献】
【０００３】
【特許文献１】特許第２５７１５４１号公報
【発明の概要】
【発明が解決しようとする課題】
【０００４】
ところで、上記罫引方法によれば、罫線だけでなく、文字や図形、グラフなどもあざやかに表示することができる一方、これによって描かれる罫線は単一色でしかなかったため、ライティングボードの用途や要望に応じた多彩な表現をすることが困難であった。
そこで本発明は、ライティングボードに２色以上の罫線を引くことを可能にする新たなライティングボードの多色罫引方法を提供しようとするものである。
【課題を解決するための手段】
【０００５】
そのために本発明に係るライティングボードの多色罫引方法は、基板上に互いに色彩が異なる少なくとも３層のホウロウ質層を形成することにより下地層と中間層と表層とからなるライティングボードを形成し、該ライティングボードの表面に局所的にレーザー光線を照射しつつその照射スポットを移動させるとともに、該レーザー光線によって加熱・溶融するホウロウ質層の深度を適宜設定することにより、中間層および下地層の色彩を表面に露呈させることを特徴とする。
また、本発明は上記ライティングボードの多色罫引方法において、ライティングボード表面におけるレーザー光線の照射スポットの移動速度を制御することにより、ホウロウ質層の溶融の深度が適宜設定されるようにしたことを特徴とする。
また、本発明は上記ライティングボードの多色罫引方法において、レーザー光線の出力を制御することにより、ホウロウ質層の溶融の深度が適宜設定されるようにしたことを特徴とする。
【発明の効果】
【０００６】
本発明によれば、多彩な罫線をきれいに引くことができ、ライティングボードの商品価値を向上させる。
【図面の簡単な説明】
【０００７】
【図１】本発明に係るライティングボードの断面構造を示した斜視図。
【図２】本発明に係るライティングボードの製造ラインの概略図。
【図３】本発明に係るライティングボードにレーザー光線を当てて罫引するための罫引装置の概略を示す斜視図。
【図４】本発明に係るライティングボードにレーザー光線を当てて罫引する状況を示した斜視図。
【図５】図４に示した方法によって罫引されたライティングボードの断面図。
【図６】本発明に係るライティングボードにレーザー光線を当てて罫引する状況を示した斜視図。
【図７】図５に示した方法によって罫引されたライティングボードの断面図。
【図８】本発明によって罫引されたライティングボードの正面図。
【発明を実施するための形態】
【０００８】
次に本発明に係るライティングボードの実施の形態を説明する。この実施形態ではライティングボードとしてホワイトボードを例として説明する。図１にこのライティングボードの断面構造を示す。図中、１は防錆のために表面にニッケル層２ａ，２ｂが形成された厚さ０．４ｍｍ程度の鋼板からなる基板である。本発明のライティングボードでは、該基板１の表面に互いに色彩が異なるホウロウ質層を多層に形成する。即ち、該基板１の表面に黒色系の釉薬を施して乾燥・焼成することにより、厚さ８５μｍ程度の黒色のホウロウ質下地層３を形成し、該下地層３の上にさらに赤色系の顔料が添加された釉薬を施して乾燥・焼成することにより、厚さ８５μｍ程度の赤色のホウロウ質中間層４を形成し、該中間層４の上にさらにチタン白上釉のような白色系の釉薬を掛けて乾燥・焼成することにより厚さ２５μｍ程度の白色のホウロウ質表層５を形成する。なお、基板１の裏面にも厚さ２５μｍ程度の黒色のホウロウ質層７が形成される。
【０００９】
図２はこのライティングボードの製造ラインの概略図で、矢印の方向に搬送される基板１は、ロールコーター、スプレー装置等からなる施釉装置１０に通すことにより、表裏両面に均一な厚さに黒色系の釉薬が塗布される。そして、これを乾燥炉１１に通して該釉薬を乾燥させた後、焼成炉１２にて７００〜８２０℃に加熱することにより該釉薬を焼成して、表面に黒色のホウロウ質下地層３を形成すると共に、裏面にも黒色のホウロウ質層７を形成する。次いで、これを施釉装置１３に通すことにより該ホウロウ質下地層３の表面に赤色系の釉薬を均一に塗布し、これを乾燥炉１４、焼成炉１５に通し、該釉薬を乾燥・焼成することにより赤色のホウロウ質中間層４を形成する。さらに、これを施釉装置１６に通すことにより、該ホウロウ質中間層４の表面に白色系の釉薬を均一に塗布した後、これを乾燥炉１７、焼成炉１８に通すことにより、該釉薬を乾燥・焼成し、白色のホウロウ質表層５を形成する。これにより、図１に示したように、基板１の表側にホウロウ質層が３層に形成されたライティングボード２０が製造される。
【００１０】
このライティングボード２０にレーザー光線を当てて罫引するのに使用する罫引装置を図３に示す。この装置は、ライティングボード２０を水平に設置し得るテーブル２１が設けられ、該テーブル２１の両側縁に固定レール２２、２２を設け、該固定レール上に該固定レールと直交する移動レール２３を設け、該移動レール２３が該固定レール上をサーボモータの作動により移動可能なるようにすると共に、照射ヘッド２４をサーボモータの作動により該移動レールに沿って移動可能なるように設け、該平面テーブル２１の一側に設けたＣＯ２レーザー発振器２５から発振された赤外線波長のレーザー光線を移動レール２３の一端に設けたミラー２６により照射ヘッド２４に反射させ、該照射ヘッド２４からライティングボード２０の表面に該レーザー光線が照射されるように構成される。そして、これらのサーボモータをコンピュータ制御することにより、照射ヘッド２４の移動方向および移動速度が予め設定されたプログラムに従い自在にコントロールされるようにしている。
【００１１】
上記ライティングボード２０をこの罫引装置のテーブル２１上に表面を上にして設置し、照射ヘッド２４と相対する該ライティングボード２０の表面に該照射ヘッド２４から局所的にレーザー光線を照射する。これにより照射スポットがこのレーザー光線の熱エネルギーにより１０００〜１２００℃に加熱される。このようにレーザー光線を照射しつつ、照射ヘッド２４を移動レール２３および固定レール２２、２２に沿って移動させることにより、その照射スポットを移動させる。その際、上記したようにサーボモータをコンピュータ制御することにより照射ヘッド２４の移動速度がコントロールされる。このように照射ヘッド２４の移動速度をコントロールすることによって、照射スポットに照射されるレーザー光線の熱エネルギー量が制御されるため、レーザー光線の照射により加熱され、溶融するホウロウ質層の深度が、図４、図５に示したように表層５から中間層４に達する状況になったり、図６、図７に示したように下地層３にまで達するような状況となる。即ち、照射ヘッド２４を比較的高速で移動させることでは、レーザー光線の照射時間が短く照射スポットに照射される熱エネルギー量が比較的少ないことから、該レーザー光線によって加熱・溶融するホウロウ質層の深度が浅くなり、図４、図５に示したように表層５と中間層４だけを溶融させる。このため、中間層４を構成する赤色のホウロウ質材が表面に露呈し、ライティングボード２０の表面に赤色系の罫線が引かれる。
【００１２】
一方、照射ヘッド２４をこれより低速で移動させることによっては、レーザー光線の照射時間が長くなり、照射スポットに照射されるレーザー光線の熱エネルギー量が比較的大きくなることから、加熱・溶融するホウロウ質層の深度が深くなり、図６、図７に示したように表層５と中間層４だけでなく下地層３まで溶融させる。このため該下地層３を構成する黒色のホウロウ質材が表面に露呈し、ライティングボード２０の表面に黒色系の罫線が引かれる。このように白色の表層５を有するホワイトボードでありながらも、照射ヘッド２４の移動速度を変化させることにより、罫線の色を自在に変化させることができ、色分けによって文字や図形、グラフなどを多彩に表現することが可能となる。
【００１３】
例えば、図８に示したような、一週間の予定を書き込むために各曜日を罫線で仕切ってなる「週間予定表」のホワイトボードでは、最下段の「日」の文字だけを赤色で表示し、その他の曜日および罫線が黒色で表示されるようにすることで、見易い表示が可能となる。
【００１４】
また、表面がホウロウ質層であるライティングボードは、書き味がよく、鮮明に書くことができると共に、摩擦に強く、優れた耐久性を有する。そして、このようにレーザー光線によって描かれた罫線、文字、図形等は、中間層や下地層の色に基因するものであるので、退色したり磨耗によって消えることなく、長期にわたりきれいに表示される。
【００１５】
なお、照射ヘッド２４に空気、窒素ガス等の不活性ガス等を吹き出すノズルを設け、ライティングボードにレーザー光線を当てると同時に該レーザー光線の照射スポットに向けて該不活性ガス等を吹き付け、該照射スポットにおける溶融した上層のホウロウ質材料が該不活性ガス等により吹き飛ばされるようにすることにより、下層のホウロウ質層がより表面に露呈し易くなるので、一層鮮やかな色彩の罫線が表示されるようになる。
また、下地層３、中間層４、表層５の厚さはこの実施形態に限定されるものではなく、特に下地層３および中間層４については、溶融深さの制御を容易にし、該各層の色彩を表面に抽出し易くするために、さらに厚く形成することが有効であると考えられる。
また、この実施形態は、表面が白色のホワイトボードについて説明したが、表面が黒色、グリーン、ブルー、ブラウン、グリーン等の黒板に対し多色罫引をする際にも本発明を適用できる。
【００１６】
また、ホウロウ質表層５の表面にさらに色の異なる釉薬を塗布し、乾燥・焼成することにより、４層以上のホウロウ質層を有するライティングボードを形成することも可能である。その場合は、レーザー光線によって溶融する深度をさらに多段に設定することにより、表示される罫線の色数がさらに増し、より多彩な表示をすることができ、ホワイトボードの商品価値をさらに向上させることができる。
また、溶融深さを制御することにより、各ホウロウ質層の混合度合いが変化するので、特有の個性的な色合いを抽出させることも可能となる。
【００１７】
なお、この実施形態では、ライティングボード表面におけるレーザー光線の照射スポットの移動速度を制御することにより、ホウロウ質層の溶融の深度が適宜設定されるようにしたが、レーザー光線の出力を制御することによっても溶融するホウロウ質層の深度を適宜設定することができる。また、レーザー光線の出力とその照射スポットの移動速度の両方を制御することでその溶融深度を設定することもできる。
【００１８】
また、このように色彩の異なる多層構造のライティングボードを形成し、レーザー光線を照射しその熱エネルギーによる溶融深度をコントロールすることにより、多色の罫線を表示する技術は、この実施形態に示したホウロウ質層のライティングボードに限らず、樹脂層を多層に形成したライティングボードにも適用することができる。即ち、ホウロウ質層に代えて、基板上に互いに色彩が異なる少なくとも３層の樹脂層を形成し、レーザー光線の出力やその照射スポットの移動速度を制御することにより、樹脂層からなるライティングボードにおいても多色の罫線を表示することが可能となる。
【符号の説明】
【００１９】
１            基板
２ａ，２ｂ    ニッケル層
３            ホウロウ質下地層
４            ホウロウ質中間層
５            ホウロウ質表層
２０          ライティングボード
２４          照射ヘッド
２５          レーザー発振器
【図１】
2013086503.tif 000003
【図２】
2013086503.tif 000004
【図３】
2013086503.tif 000005
【図４】
2013086503.tif 000006
【図５】
2013086503.tif 000007
【図６】
2013086503.tif 000008
【図７】
2013086503.tif 000009
【図８】
2013086503.tif 000010